(57)【要約】      （修正有）【課題】容易に靴ベラ付き靴とすることができる靴装着用靴ベラを提供する。【解決手段】適度の張りと柔軟性を有する皮革からなり、靴の踵部の内面と同大かこれより僅かに大きい幅を有すると共に、靴の踵部の内面に固定するのに必要な長さに、靴の踵部の上縁から張り出す、靴着用者の踵を靴の内部にガイドして容易に滑り込ませるのに適した長さを足した長さとし、全体を所要の形状に成形した靴ベラ本体２とする。靴ベラ本体２の下部側部分を靴の踵部の内面に固定する手段３と、靴ベラ本体２の上部側部分を、靴に装着した後、靴ベラとして使用しないときに靴の踵部の外面に折り曲げたとき、この状態に保持する手段４とを設ける。靴ベラ本体２の上部側部分の先端に摘み片２Ａを突設する。靴ベラ本体２の高さ方向の略中央部における幅方向の両側縁部に、所要の深さのえぐり部２´、２´を設けると共に、その高さ方向の略中央部における幅方向の中央部に、縦方向に延びる所要の幅及び長さの切欠部２´´を設ける。【選択図】図１
0003201415.tif 000002
【実用新案登録請求の範囲】
【請求項１】
適度の張りと柔軟性を有する皮革、ビニール、ゴム、厚布等の材料からなり、靴の踵部の内面と同大かこれより僅かに大きい幅を有すると共に、靴の踵部の内面に固定するに必要な長さに、靴の踵部の上縁から張り出す、靴着用者の踵を靴の内部にガイドして容易に滑り込ませるに適した長さを足した長さとし、全体を所要の形状に成形した靴ベラ本体と、該靴ベラ本体の下部側部分を靴の踵部の内面に固定する手段と、該靴ベラ本体の上部側部分を、靴に装着した後、靴ベラとして使用しないときに靴の踵部の外面に折り曲げたとき、この状態に保持する手段とからなることを特徴とする靴装着用靴ベラ。
【請求項２】
靴ベラ本体の下部側部分を靴の踵部の内面に固定する手段が、一方を靴ベラ本体に取着し、もう一方を靴の踵部の内面に取着する一対の面ファスナーからなる固定手段である請求項１記載の靴装着用靴ベラ。
【請求項３】
靴ベラ本体の下部側部分を靴の踵部の内面に固定する手段が、粘着テープ等を用いた貼着による固定手段である請求項１記載の靴装着用靴ベラ。
【請求項４】
靴ベラ本体の上部側部分を、靴に装着した後、靴ベラとして使用しないときに靴の踵部の外面に折り曲げたとき、この状態に保持する手段が、一方を靴ベラ本体の上部側部分に取着し、もう一方を靴の踵部の外面に取着する一対の面ファスナーからなる保持手段である請求項１記載の靴装着用靴ベラ。
【請求項５】
靴ベラ本体の上部側部分を、靴に装着した後、靴ベラとして使用しないときに靴の踵部の外面に折り曲げたとき、この状態に保持する手段が、一方を靴ベラ本体の上部側部分に取着し、もう一方を靴の踵部の外面に取着する一対の雄ホックと雌ホックからなる保持手段である請求項１記載の靴装着用靴ベラ。
【請求項６】
靴ベラ本体の上部側部分の先端に摘み片を突設してなる請求項１、２、３、４又は５記載の靴装着用靴ベラ。
【請求項７】
靴ベラ本体の高さ方向の略中央部における幅方向の両側縁部に、所要の深さのえぐり部を設けてなる請求項１、２、３、４、５又は６記載の靴装着用靴ベラ。
【請求項８】
靴ベラ本体の高さ方向の略中央部における幅方向の中央部に、縦方向に延びる所要の幅及び長さの切欠部を設けてなる請求項１、２、３、４、５、６又は７記載の靴装着用靴ベラ。
【考案の詳細な説明】
【技術分野】
【０００１】  本考案は、靴に装着する靴装着用靴ベラに関するものである。
【背景技術】
【０００２】  靴を履くときには靴ベラを使用することが望ましく、それは靴をスムーズに履くことができると共に、靴の踵部の押し潰しによる変形を防ぐことができること等からである。【０００３】  ところで、一日の内で何度も靴の着脱を繰り返さなければならない場合もある。この場合においては備え付けの靴ベラがないことを想定して自分で携帯用の靴ベラを持ち歩かなければならないことになる。しかし、ポケットに入れて持ち歩くとポケットが膨らんで体裁が悪く、また使用するときには一々ポケットやバッグ等から取り出さなければならず、手間と時間がかかる。そしてまた、うっかり携行し忘れた場合には靴ベラを使用することができないことになる。【０００４】  そこで、これらの点を解決するために、例えば、特許文献１に示す如き靴ベラ付き靴が案出されている。【０００５】  しかし、斯かる靴ベラ付き靴にはいくつかの問題点がある。それは、靴の製造時において予め靴の踵部に靴ベラを一体的に取り付けてしまうことに基因するものである。【０００６】  先ず、第１の問題点は、靴ベラ付き靴を欲しい人は、新たに靴自体を購入しなければならず、その分の費用がかかることになると共に、既存の靴を着用しなくなるから、その分の費用が無駄になることである。【０００７】  次に、第２の問題点は、靴ベラ付き靴は特殊な靴であるから、一般の靴の販売店では取り扱っておらず、実際において靴の販売店に展示されたことはなく、したがって、入手することが極めて困難であるということである。【０００８】  また、靴の購入者は靴を購入する上で様々な観点から靴をみるものであり、靴ベラ付き靴があったとして、その場合において購入者は自分の足のサイズにフィットしていさえすれば良いわけではなく、靴自体の材料や形態のデザイン等が気に入らなければ購入を見送ることになるものである。これらの問題点があることから、結局靴ベラ付き靴の普及がならなかったのである。
【先行技術文献】
【特許文献】
【０００９】
【特許文献１】実開平３−９８６０５号公報
【考案の概要】
【考案が解決しようとする課題】
【００１０】  本考案は上記の点に鑑みなされたものであって、靴自体とは別体に製作し、靴に容易に装着することにより、靴の製造時において予め靴自体に靴ベラを一体的に取り付けた従来の靴ベラ付き靴と同様の目的を達成することができると共に、既存の靴を靴ベラ付き靴に変えることができるから、靴ベラ付き靴を新たに購入する必要がなくなると共に、既存の靴が無駄にならず、更に、材料や形態のデザインにおいて自分の好みの新しい靴を購入し、それに本考案を装着して靴ベラ付き靴とすることもできるようになした靴装着用靴ベラを提供しようとするものである。
【課題を解決するための手段】
【００１１】  而して、本考案の要旨とするところは、適度の張りと柔軟性を有する皮革、ビニール、ゴム、厚布等の材料からなり、靴の踵部の内面と同大かこれより僅かに大きい幅を有すると共に、靴の踵部の内面に固定するに必要な長さに、靴の踵部の上縁から張り出す、靴着用者の踵を靴の内部にガイドして容易に滑り込ませるに適した長さを足した長さとし、全体を所要の形状に成形した靴ベラ本体と、該靴ベラ本体の下部側部分を靴の踵部の内面に固定する手段と、該靴ベラ本体の上部側部分を、靴に装着した後、靴ベラとして使用しないときに靴の踵部の外面に折り曲げたとき、この状態に保持する手段とからなることを特徴とする靴装着用靴ベラにある。【００１２】  また、上記構成において、靴ベラ本体の下部側部分を靴の踵部の内面に固定する手段を、一方を靴ベラ本体に取着し、もう一方を靴の踵部の内面に取着する一対の面ファスナーからなる固定手段としてもよい。【００１３】  また、上記構成において、靴ベラ本体の下部側部分を靴の踵部の内面に固定する手段を、粘着テープ等を用いた貼着による固定手段としてもよい。【００１４】  また、上記構成において、靴ベラ本体の上部側部分を、靴に装着した後、靴ベラとして使用しないときに靴の踵部の外面に折り曲げたとき、この状態に保持する手段を、一方を靴ベラ本体の上部側部分に取着し、もう一方を靴の踵部の外面に取着する一対の面ファスナーからなる保持手段としてもよい。【００１５】  また、上記構成において、靴ベラ本体の上部側部分を、靴に装着した後、靴ベラとして使用しないときに靴の踵部の外面に折り曲げたとき、この状態に保持する手段を、一方を靴ベラ本体の上部側部分に取着し、もう一方を靴の踵部の外面に取着する一対の雄ホックと雌ホックからなる保持手段としてもよい。【００１６】  また、上記構成において、靴ベラ本体の上部側部分の先端に摘み片を突設するようになしてもよい。【００１７】  また、上記構成において、靴ベラ本体の高さ方向の略中央部における幅方向の両側縁部に、所要の深さのえぐり部を設けるようになしてもよい。【００１８】  また、上記構成において、靴ベラ本体の高さ方向の略中央部における幅方向の中央部に、縦方向に延びる所要の幅及び長さの切欠部を設けるようになしてもよい。
【考案の効果】
【００１９】  本考案は上記の如き構成であるから、靴自体とは別体に製作し、靴に容易に装着することにより、靴の製造時において予め靴自体に靴ベラを一体的に取り付けた従来の靴ベラ付き靴と同様の目的を達成することができるものである。また、サイズや形態のデザインにおいて好みの手持ちの既存の靴に装着することにより、該既存の靴を靴ベラ付き靴に変えることができるから、靴ベラ付き靴を新たに購入する必要がなく、したがって、その分の費用が不要になると共に、既存の靴をそのまま継続して使用することになるから、該既存の靴も無駄にならないものである。更に、材料や形態のデザインにおいて自分の好みの新しい靴を購入し、それに本考案を装着して靴ベラ付き靴とすることもできるものである。この場合には、着用者は履き心地において満足することができると共に、靴の着用時における利便性も享有することができるようになるものである。【００２０】  また、靴とは別の単体であり、且つ材料も安く、製作も容易であるから低コストで製作することができるものであり、もって安価にて提供することができるものである。【００２１】  また、面ファスナーや貼着によって固定するようになした場合には、靴への装着も容易に行うことができるものである。そしてまた、上記の通り安く購入することができると共に、装着も容易に行うことができるから、古くなったら新しいものに容易に付け替えることも可能となるものである。【００２２】  また、靴ベラ本体の上部側部分は、靴ベラとして使用しないときには靴の踵部の外面に折り曲げておくが、この折り曲げた状態に保持する手段を備えているから、この部分が浮き上がることを防ぐことができるものである。したがって、歩行の際に邪魔にならないようにすることができると共に、靴の見栄えに悪影響を及ぼすことを防ぐこともできるものである。【００２３】  また、靴ベラ本体の上部側部分の先端に摘み片を突設した場合には、この摘み片は靴の踵部の外面に密着していないから摘まんで引き上げ易く、したがって、より一層迅速に靴を履くことができるものである。【００２４】  また、靴ベラ本体の高さ方向の略中央部における幅方向の両側縁部に、所要の深さのえぐり部を設けるか、靴ベラ本体の高さ方向の略中央部における幅方向の中央部に、縦方向に延びる所要の幅及び長さの切欠部を設けた場合には、靴ベラとして使用するときにおいて、靴ベラ本体をその端部を摘まんで靴の踵部の上に起こしたとき、これらのえぐり部や切欠部の作用によって、該靴ベラ本体が幅方向の中央部側に寄って皺状に変形することを防ぐことができ、もって靴の着用者の踵部をより一層スムーズにガイドすることができるようになるものである。
【図面の簡単な説明】
【００２５】
【図１】本考案の第１実施形態に係る靴装着用靴ベラの分解斜視図である。
【図２】同靴ベラ本体の正面図である。
【図３】同靴に装着した状態の斜視図である。
【図４】同靴ベラとして使用しないときの状態の斜視図である。
【図５】同靴ベラとして使用するときの状態の斜視図である。
【図６】本考案の第２実施形態に係る靴装着用靴ベラの分解斜視図である。
【図７】本考案の第１実施形態及び第２実施形態において用いる靴ベラ本体の他の例の正面図である。
【図８】本考案の第１実施形態及び第２実施形態において用いる靴ベラ本体の更に他の例の正面図である。
【考案を実施するための形態】
【００２６】    以下、本考案を実施するための形態について、図面を参照して説明する。
【００２７】  図中、１は靴装着用靴ベラである。また、該靴装着用靴ベラ１は、適度の張りと柔軟性を有する皮革、ビニール、ゴム、厚布等の材料からなり、図２に示す如く、靴の踵部の内面と同大かこれより僅かに大きい幅Ｗを有すると共に、靴の踵部の内面に固定するに必要な長さに、靴の踵部の上縁から張り出す、靴着用者の踵を靴の内部にガイドして容易に滑り込ませるに適した長さを足した長さＬとし、全体を所要の形状に成形した靴ベラ本体２と、該靴ベラ本体２の下部側部分を靴の踵部の内面に固定する手段３と、該靴ベラ本体２の上部側部分を、靴に装着した後、靴ベラとして使用しないときに靴の踵部の外面に折り曲げたとき、この状態に保持する手段４とからなることを特徴とするものである。
【００２８】  また、前記靴ベラ本体２は、本実施形態においては、材料として合成皮革を用い、また、その全体形状は舌状としている。尚、材料や形状については、これに限らず適宜に変更可能である。また、本実施形態においては、靴を履くときにその迅速性を高めるために靴ベラ本体２の上部側部分の先端に摘み片２Ａを突設しているが、必ずしもこれを設ける必要はない。また、靴ベラ本体２は、大人用と子供用、男性用と女性用等に分けて、夫々サイズの異なるものを複数種類用意することが好ましい。
【００２９】  また、前記靴ベラ本体２の下部側部分を靴の踵部の内面に固定する手段３として、本実施形態においては、一方を靴ベラ本体２に取着し、もう一方を靴の踵部の内面に取着する一対の面ファスナー３ａ、３ｂからなる固定手段を用いている。また、前記靴の踵部の内面に取着する側の面ファスナー３ｂは、その取着面側に粘着テープ３ｂ´を貼着すると共に、実際に靴に装着するときまで剥がさない剥離紙３ｂ´´を貼着しておく。
【００３０】  また、靴ベラ本体２の上部側部分を、靴に装着した後、靴ベラとして使用しないときに靴の踵部の外面に折り曲げたとき、この状態を保持する手段４として、本実施形態においては、一方を靴ベラ本体２に取着し、もう一方を靴の踵部の外面に取着する一対の面ファスナー４ａ、４ｂからなる固定手段を用いている。尚、前記靴の踵部の外面に取着する側の面ファスナー４ｂは、図示はしないが、その取着面側に粘着テープを貼着すると共に、実際に靴に装着するときまで剥がさない剥離紙を貼着しておく。また、図示はしないが、該保持手段４として、前記一対の面ファスナー４ａ、４ｂに代えて、一対の雄ホックと雌ホックからなる保持手段としてもよいものである。
【００３１】  また、前記靴ベラ本体２は、本実施形態においては、その高さ方向の略中央部における幅方向の両側縁部に、所要の深さのえぐり部２´、２´を設けると共に、その高さ方向の略中央部における幅方向の中央部に、縦方向に延びる所要の幅及び長さの切欠部２´´を設けている。尚、これらを設けることにより、前記の通り、靴ベラ本体２を起こしたとき、これらのえぐり部２´、２´や切欠部２´´の作用によって、該靴ベラ本体２が幅方向の中央部側に寄って皺状に変形することを防ぐことができ、もって靴着用者の踵部をより一層スムーズにガイドすることができるようになるが、材料が充分な柔軟性を有するものである場合には、必ずしも設ける必要はない。また、その他、図中５は靴、５ａは該靴の踵部である。
【００３２】  次に、上記実施形態の作用について説明する。
先ず、靴の踵部５ａへの上記実施形態における靴ベラ本体２の装着の仕方について説明すると、前記靴ベラ本体２の下部側部分を靴の踵部５ａの内面に固定する手段３である一方の面ファスナー３ｂを、その粘着テープ３ｂ´を用いて靴の踵部５ａの内面に取着し、そしてもう一方の面ファスナー３ａをこれに貼り合わせるものである。これにより図３に示す如く、靴ベラ本体２は靴の踵部５ａの内面に立ち上がった状態に固定されるものである。また、該靴ベラ本体２は、靴ベラとして使用しないときには、図４に示す如く、靴の踵部５ａの外面に折り曲げておくものであり、そして、この状態は前記一対の面ファスナー４ａ、４ｂからなる保持手段４によって保持されるものである。
【００３３】  そして、靴を履くときにおいて靴ベラとして使用するときには、図５に示す如く、摘み片２Ａを摘まんで靴ベラ本体２を靴の踵部５ａの上に起こすものである。これにより靴着用者の踵は該靴ベラ本体２の上面によってガイドされ、靴内に滑り込むものである。また、このとき、本実施形態によれば、上記の如く靴ベラ本体２が幅方向の中央部側に寄って皺状に変形することがないから、靴着用者の踵をより一層スムーズにガイドすることができるものである。
【００３４】  また、本実施形態においては、前記靴ベラ本体２として、上記の如く、えぐり部２´、２´と切欠部２´´の両方を設けた場合を示したが、図７に示す如く、えぐり部２´、２´のみを設けたり、或いは図８に示す如く、切欠部２´´のみを設けるようにした靴ベラ本体２としてもよいものである。
【００３５】  次に、図６に示す本考案の第２実施形態について説明する。
【００３６】  本実施形態と前記第１実施形態とは、靴ベラ本体の下部側部分を靴の踵部の内面に固定する手段の点において相違するものである。即ち、本実施形態においては前記第１実施形態における一対の面ファスナー３ａ、３ｂからなる固定手段３に代えて、粘着テープ３´等を用いた貼着による固定手段３Ａとした点にある。尚、該粘着テープ３´には実際に靴に装着するときまで剥がさない剥離紙３´´を貼着しておく。また、その他の構成並びに作用は前記第１実施形態と同様であるから、同一の部材には同一の符号を付して詳細な説明は省略する。
【符号の説明】
【００３７】  １  靴装着用靴ベラ
２  靴ベラ本体
３、３Ａ  靴の踵部の内面に固定する手段
３ａ、３ｂ  一対の面ファスナー
４  靴ベラ本体の折り曲げた状態の保持手段
４ａ、４ｂ  一対の面ファスナー
【図１】
0003201415.tif 000003
【図２】
0003201415.tif 000004
【図３】
0003201415.tif 000005
【図４】
0003201415.tif 000006
【図５】
0003201415.tif 000007
【図６】
0003201415.tif 000008
【図７】
0003201415.tif 000009
【図８】
0003201415.tif 000010